(57)【要約】  １組のベアラの所要のベアラへパケットを指向するための方法。この方法は、（ａ）パケットを受け取り、（ｂ）パケットが断片化されたパケットであるかどうかチェックし、もしそうであれば、（ｃ）パケットが、正しいベアラの選択に関連した情報を含むかどうかチェックし、もしそうであれば、そのパケットを正しいベアラへ転送し、そのパケットに含まれた断片関連情報を記憶し、第２のパケットを受け取り、その第２のパケットを、断片関連情報に基づいて正しいベアラへ転送し、そしてもしそうでない場合には、そのパケットに含まれた断片関連情報を記憶し、前記パケットを記憶し、正しいベアラの選択に関連した情報を含む別のパケットを受け取り、そしてその別のパケット及び記憶されたパケットを正しいベアラへ転送するという段階を含む。
2005514863.tif 000002
【特許請求の範囲】
【請求項１】
パケットエンティティを指向する方法において、
第１パケットエンティティを受信し、
前記パケットエンティティが第２パケットエンティティの一部分であることを決定し、
前記第１パケットエンティティが前記エンティティの方向に関連した情報を含むかどうかチェックし、
前記第１パケットエンティティの少なくとも一部分を記憶し、そして
前記第１パケットエンティティを前記情報に基づいて指向する、
という段階を備えた方法。
【請求項２】
第３パケットエンティティを受信し、
前記第３パケットエンティティが前記第２パケットエンティティの一部分であるかどうかチェックし、そして
前記第３パケットエンティティを前記記憶された情報に基づいて転送する、
という段階を更に備えた請求項１に記載の方法。
【請求項３】
前記方法は、複数のベアラの所要のベアラへパケットエンティティを指向するように構成される請求項１又は２に記載の方法。
【請求項４】
前記パケットエンティティは、断片化されたパケットである請求項１、２又は３に記載の方法。
【請求項５】
前記パケットが断片化されたパケットであるかどうか決定する段階を更に備えた請求項４に記載の方法。
【請求項６】
前記チェック段階は、前記パケットエンティティが前記所要のベアラに関連した情報を含むかどうかチェックすることを含む請求項３に記載の方法。
【請求項７】
前記情報は、ソースアドレス、行先アドレス、及び断片ヘッダにおける識別の少なくとも１つである請求項６に記載の方法。
【請求項８】
前記記憶段階は、ソースポート、行先ポート、及び断片ヘッダにおける識別の少なくとも１つを記憶することを含む請求項１ないし７のいずれかに記載の方法。
【請求項９】
前記パケットエンティティに含まれた断片化関連情報を記憶する段階を更に備えた請求項５に記載の方法。
【請求項１０】
前記方向情報を含むパケットエンティティが受信された後に別のパケットエンティティを受信し、そして前記別のパケットエンティティを前記方向情報に基づいて指向する段階を更に備えた請求項１ないし９のいずれかに記載の方法。
【請求項１１】
相互に関連したパケットエンティティの第１セットを指向する方法であって、該第１セットは、相互に関連したパケットエンティティの第２セットを含み、該第２セットのパケットエンティティは、前記パケットエンティティの方向に関連した情報を含み、前記パケットエンティティの第２セットは、少なくとも１つのパケットエンティティを含み、前記方法は、
前記パケットエンティティの少なくとも１つを受信し、
前記少なくとも１つのパケットエンティティが前記相互に関連したパケットの第１セットに属することを決定し、
前記少なくとも１つのパケットエンティティが前記パケットエンティティの第２セットに属さないことを決定し、そして
前記少なくとも１つのパケットエンティティの１つの少なくとも一部分を記憶する、
という段階を備えた方法。
【請求項１２】
少なくとも１つのパケットエンティティを記憶する段階を更に備えた請求項１１に記載の方法。
【請求項１３】
少なくとも１つの更に別のパケットエンティティを受信し、
前記受信された少なくとも１つの更に別のパケットエンティティが前記パケットエンティティの第２セットに属することを決定し、そして
前記少なくとも１つの更に別のパケットエンティティに含まれた前記情報に基づいて前記パケットエンティティを指向する、
という段階を更に備えた請求項１１又は１２に記載の方法。
【請求項１４】
前記少なくとも１つのパケットエンティティは、前記所要の方向が決定されるまで記憶される請求項１１ないし１３のいずれかに記載の方法。
【請求項１５】
少なくとも１つのパケットエンティティが所定時間中記憶されそして前記所要の方向が決定されないときには、前記少なくとも１つのパケットエンティティが送信されるべき方向を選択し、そして前記少なくとも１つのパケットエンティティを前記選択された方向に送信する請求項１１ないし１４のいずれかに記載の方法。
【請求項１６】
少なくとも１つのパケットエンティティが所定時間中記憶されそして前記所要の方向が決定されないときには、前記少なくとも１つのパケットを記憶装置から除去する請求項１１ないし１５のいずれかに記載の方法。
【請求項１７】
前記少なくとも１つのパケットエンティティを記憶する記憶装置が所定量以上のデータを記憶している場合には、前記少なくとも１つのパケットエンティティが送信されるべき方向を選択し、そして前記少なくとも１つのパケットを前記選択された方向に送信する請求項１１ないし１６のいずれかに記載の方法。
【請求項１８】
前記少なくとも１つのパケットエンティティを記憶する記憶装置が所定量以上のデータを記憶している場合には、前記少なくとも１つのパケットを前記記憶装置から除去する請求項１１ないし１７のいずれかに記載の方法。
【請求項１９】
少なくとも１つのパケットエンティティのヘッダからの情報を記憶する請求項１１ないし１８のいずれかに記載の方法。
【請求項２０】
前記記憶された情報は、ソースアドレス、行先アドレス及び識別情報のうちの少なくとも１つを含む請求項１９に記載の方法。
【請求項２１】
前記方向は、ＰＤＰコンテクスト及び／又は複数のベアラの１つ及び／又はベアラを含む請求項１１ないし２０のいずれかに記載の方法。
【請求項２２】
前記方向情報は、前記行先アドレスを含む請求項１１ないし２１のいずれかに記載の方法。
【請求項２３】
複数の関連パケットエンティティを指向するための装置であって、前記パケットエンティティの１つ又は幾つかだけが、前記パケットエンティティの方向に関連した情報を含み、前記装置は、
前記複数のパケットエンティティを受信する手段と、
前記情報を含む前記パケットエンティティの少なくとも２つから所要の方向アドレスを決定する手段と、
前記複数の関連パケットエンティティを前記所要の方向に指向する手段と、
を備えた装置。
【請求項２４】
前記装置は、パケット交換ネットワークにおけるノードとして使用できる請求項２３に記載の装置。
【請求項２５】
前記ネットワークは、ＧＰＲＳネットワークである請求項２４に記載の装置。
【請求項２６】
上記装置は、ＧＧＳＮである請求項２３ないし２５のいずれかに記載の装置。
【請求項２７】
１組のベアラの所要のベアラへパケットを指向するための方法であって、
（ａ）パケットを受信し、
（ｂ）前記パケットが断片化されたパケットであるかどうかチェックし、もしそうであれば、
（ｃ）前記パケットが、前記所要のベアラの選択に関連した情報を含むかどうかチェックし、もしそうであれば、そのパケットに含まれた断片化関連情報を記憶する、
という段階を備えた方法。
【請求項２８】
前記パケットを前記所要のベアラへ転送する段階を更に備えた請求項２７に記載の方法。
【請求項２９】
第２のパケットを受信し、
前記第２のパケットを、断片化関連情報に基づいて前記所要のベアラへ転送する、
という段階を更に備えた請求項２７又は２８に記載の方法。
【請求項３０】
１組のベアラの所要のベアラへパケットを指向するための方法であって、
（ａ）パケットを受信し、
（ｂ）前記パケットが断片化されたパケットであるかどうかチェックし、もしそうであれば、
（ｃ）前記パケットが、前記所要のベアラの選択に関連した情報を含むかどうかチェックし、もしそうでなければ、前記パケットに含まれた断片化関連情報を記憶し、そして前記パケットを記憶する、
という段階を備えた方法。
【請求項３１】
前記所要のベアラの選択に関連した情報を含む別のパケットを受信し、そして
前記別のパケット及び前記記憶されたパケットを前記所要のベアラへ転送する、
という段階を更に備えた請求項３０に記載の方法。
【請求項３２】
パケットエンティティを指向する方法において、
第１パケットエンティティを受信し、
前記第１パケットエンティティが前記エンティティの方向に関連した情報を含むかどうかチェックし、
前記第１パケットエンティティの少なくとも一部分を記憶し、そして
前記第１パケットエンティティを前記情報に基づいて指向する、
という段階を備えた方法。
【請求項３３】
相互に関連したパケットエンティティの第１セットを指向する装置であって、該第１セットは、相互に関連したパケットエンティティの第２セットを含み、該第２セットのパケットエンティティは、前記パケットエンティティの方向に関連した情報を含み、前記パケットエンティティの第２セットは、少なくとも１つのパケットエンティティを含み、前記装置は、
前記パケットエンティティの少なくとも１つを受信する手段と、
前記少なくとも１つのパケットエンティティが前記相互に関連したパケットの第１セットに属することを決定する手段と、
前記少なくとも１つのパケットエンティティが前記パケットエンティティの第２セットに属さないことを決定する手段と、
前記少なくとも１つのパケットエンティティの１つの少なくとも一部分を記憶する手段と、
を備えた装置。
【発明の詳細な説明】
【技術分野】
【０００１】
本発明は、テレコミュニケーションシステムにおいてパケットエンティティを指向するための方法及び装置に係る。
【背景技術】
【０００２】
テレコミュニケーションネットワークは、通常、ネットワークの種々の要素が何を行うことが許されそしてそれをどのように達成すべきか規定する所与の規格又は仕様に基づいて動作する。例えば、この規格又は仕様は、ユーザ、又はより詳細には、ユーザ装置又はターミナルに、回路交換及び／又はパケット交換サービスが提供されるかどうか規定してもよい。又、この規格又は仕様は、接続に対して使用すべき通信プロトコル及び／又はパラメータを規定してもよい。換言すれば、この規格及び／又は仕様は、通信の基礎となる「ルール」を規定する。ワイヤレス通信のための種々の規格及び／又は仕様は、例えば、ＧＳＭ（移動通信用のグローバルシステム）又は種々のＧＳＭベースのシステム（例えば、汎用パケット無線サービスＧＰＲＳ）、ＡＭＰＳ（アメリカン移動電話システム）、ＤＡＭＰＳ（デジタルＡＭＰＳ）、ＷＣＤＭＡ（ワイドバンドコード分割多重アクセス）又はＴＤ／ＣＤＭＡインＵＭＴＳ（時分割／コード分割多重アクセス・イン・ユニバーサル移動テレコミュニケーションシステム）、ＩＭＴ２０００、等々の仕様を含むが、これらに限定されない。
【０００３】
典型的なワイヤレスセルラー通信システムでは、ベースステーションがワイヤレスインターフェイスを経て移動ステーション又は同様のターミナル装置（ＧＳＭでは移動ステーションＭＳ、ＵＭＴＳではユーザ装置ＵＥ）にサービスする。セルラーシステムの各セルは、適当なトランシーバ装置によりサービスすることができる。例えば、ＷＣＤＭＡ無線アクセスネットワークでは、セルがノードＢによりサービスされ、該ノードＢは、無線ネットワークコントローラ（ＲＮＣ）ノード称される要素に接続されて、それにより制御される。ＧＳＭ無線ネットワークでは、セルがベースステーション（ＢＴＳ）によりサービスされ、該ベースステーションは、ベースステーションコントローラ（ＢＳＣ）ノードに接続されて、これにより制御される。ＢＳＣ／ＲＮＣ要素は、移動交換センター（ＭＳＣ）、サービングＧＰＲＳサポートノード（ＳＧＳＮ）又は同様のファシリティに接続されて、これらにより制御されてもよい。ネットワークのコントローラは、通常、相互接続され、そしてセルラーネットワークを他のネットワーク、例えば、インターネットやイントラネットのような回路又はパケット交換電話又はデータネットワークに接続するために、１つ以上のゲートウェイ、例えば、ゲートウェイＭＳＣ（ＧＭＳＣ）又はゲートウェイＧＰＲＳサポートノード（ＧＧＳＮ）が設けられてもよい。ゲートウェイノードは、別のネットワークに対するそのネットワークの１つ又は多数のアクセスポイント、即ち２つのネットワーク間の接続ポイントを与える。
【０００４】
上述したように、テレコミュニケーションネットワークは、ワイヤレスパケット交換サービスを提供することができる。このようなネットワークは、例えば、ＧＰＲＳ（汎用パケット無線サービス）ネットワーク、ＥＤＧＥ（エンハンストデータレート・フォア・ＧＳＭエボリューション）移動データネットワーク、或いは適当な第三世代テレコミュニケーションシステム、例えば、ＣＤＭＡ（コード分割多重アクセス）、ＷＣＤＭＡ（ワイドバンドコード分割多重アクセス）又はＴＤＭＡ（時分割多重アクセス）ベースの第三世代テレコミュニケーションシステムで、ユニバーサル移動テレコミュニケーションシステム（ＵＭＴＳ）とも称されるシステムを含む。これらは、全て、移動ステーションへの及び移動ステーションからのデータの転送に関連している。例えば、ＧＳＭ（移動通信用のグローバルシステム）規格に関連してＧＰＲＳ規格が設けられる。ＧＳＭ規格は、回路交換サービスであり、元々、スピーチサービス用に設計されている。ＧＳＭ規格及びＧＰＲＳ規格には共通要素がある。ＧＰＲＳネットワークは、例えば、３ＧＰＰ技術仕様書３Ｇ  ＴＳ２３．０６０、バージョン３．２．０、「General Packet Radio Service (GPRS); Service description; Stage 2」、２０００年１月号に詳細に説明されている。この文書は、参考としてここに援用する。通常、ワイドバンドコード分割多重アクセスを使用する第三世代規格ＵＭＴＳに使用するためのＧＰＲＳ規格の応用編も提案されつつある。ＵＭＴＳのパケットデータ部分は、前記２３．０６０仕様書に含まれており、即ち２３．０６０は、ＵＭＴＳ及びＧＰＲＳの両方のパケット交換データに適用される。
【０００５】
データパケットは、パケットデータプロトコル（ＰＤＰ）コンテクストにおいてネットワークを経て転送されてもよい。より詳細には、ＰＤＰコンテクストとは、パケット交換ネットワーク（例えば、ＧＰＲＳ／ＵＭＴＳネットワーク）を経て延びるデータ接続の部分を指す。ＰＤＰコンテクストは、ワイヤレスステーションからＧＧＳＮのようなゲートウェイノードのアクセスポイントへの論理的接続とみなすことができ、このアクセスポイントは、例えば、ＧＰＲＳ／ＵＭＴＳ移動ネットワークと外部データネットワークとの間の接続ポイントである。又、ＰＤＰコンテクストは、論理的接続という語に代わって、アクセスポイントとユーザとの間の論理的関連性と称されてもよい。
【発明の開示】
【発明が解決しようとする課題】
【０００６】
二次のＰＤＰコンテクストをもつことが提案されている。一次のＰＤＰコンテクストは、特定のＰＤＰ（又はＩＰ）アドレスに対して確立された第１のＰＤＰコンテクストである。同じアドレス及びＡＰＮに対して更に別のＰＤＰコンテクストがあってもよい。それらは、二次のＰＤＰコンテクストと称される。現在提案されているＧＰＲＳシステムでは、ＧＧＳＮのようなゲートウェイノードは、ＩＰアドレスと共に受信されるダウンリンク（即ちベースステーションからユーザ装置への方向における）ＩＰパケットを分類して、これらＩＰパケットを正しいＰＤＰコンテクストにおいて搬送しなければならない。しかしながら、この提案には、パケットが断片化された場合に、ＧＧＳＮによるパケット分類がうまく機能しないという問題がある。これは、ＧＧＳＮがＴＦＴ（トラフィックフローテンプレート）情報及びＰＤＰアドレスを使用してパケットを分類するためである。移動装置等は、ＴＦＴを伴わないせいぜい１つのＰＤＰコンテクストを有してもよいが、同じＰＤＰアドレスをもつ他のＰＤＰコンテクストはＴＦＴを有していなければならないことが明らかである。ＴＦＴは、ＩＰ及び搬送層において得られる情報、例えば、ＴＣＰ又はＵＤＰ、ヘッダ、例えば、ソースアドレス、ソースポート及び行先ポートを含む。
【０００７】
ダウンリンクＩＰパケットが断片化された場合には、それにより生じる全ての断片において搬送ヘッダが得られない。従って、ＧＧＳＮが、搬送ヘッダ情報に基づいてＩＰパケットを分類すべき場合には（例えば、ＰＤＰアドレスを伴うＰＤＰコンテクストのいずれかが、搬送ヘッダ情報を伴うＴＦＴを含む場合には）、ＧＧＳＮは、間違ったＰＤＰコンテクストにおいて搬送ヘッダを含まない断片を送信することがある。
【０００８】
例えば、移動ステーションが、ＴＦＴを伴わないＰＤＰコンテクスト、ＴＦＴにソースポート１２３４を伴うＰＤＰコンテクスト、及びＴＦＴにソースポート５６７８を伴うＰＤＰコンテクストを有する場合には、ＧＧＳＮは、第１のＰＤＰコンテクストに搬送ヘッダを伴わない断片を送信し、一方、ソースポート１２３４又はソースポート５６７８を伴う搬送ヘッダを含む断片が、搬送ヘッダのソースポートに基づいて第２又は第３のＰＤＰコンテクストにおいて送信される。
【０００９】
上述した例では、移動ステーションは、それがＴＦＴを伴わないＰＤＰコンテクスト（即ち第１のＰＤＰコンテクスト）をもたない場合に、搬送ヘッダを伴わない断片を全く受け取らない。
【課題を解決するための手段】
【００１０】
本発明の実施形態の目的は、前記問題の１つ又は多数に対処することである。
本発明の態様によれば、１組のベアラの所要のベアラへパケットを指向するための方法であって、
（ａ）パケットを受け取り、
（ｂ）パケットが断片化されたパケットであるかどうかチェックし、もしそうであれば、
（ｃ）パケットが、正しいベアラの選択に関連した情報を含むかどうかチェックし、もしそうであれば、
そのパケットを正しいベアラへ転送し、
そのパケットに含まれた断片関連情報を記憶し、
第２のパケットを受け取り、
前記第２のパケットを、前記断片関連情報に基づいて正しいベアラへ転送し、
そしてもしそうでない場合には、
そのパケットに含まれた断片関連情報を記憶し、
前記パケットを記憶し、
正しいベアラの選択に関連した情報を含む別のパケットを受け取り、
前記別のパケット及び前記記憶されたパケットを正しいベアラへ転送する、
という段階を備えた方法が提供される。
【００１１】
本発明を良く理解すると共に、本発明を実際にいかに実施するか示すために、添付図面を参照して一例として以下に詳細に説明する。
【発明を実施するための最良の形態】
【００１２】
本発明の実施形態を使用できる通信システムを示す図１を参照して説明する。このシステムは、ユーザ１に対してワイヤレスパケット交換サービスを提供することができる。この通信システムによりカバーされるエリアは、複数のセル又は同様のアクセスエンティティ（図示せず）に分割されてもよい。各セルにはベースステーション６が関連される。ネットワークにより使用される規格に基づき、ベースステーションは、例えば、第三世代規格ではノードＢとも称される。ベースステーションという語は、ここでは、エアインターフェイスを経てワイヤレスステーション等に送信する全ての要素を包含するものとして使用される。移動ステーション１、即ちワイヤレスユーザ装置は、各ベースステーションと通信するように構成される。移動ステーションという語は、ポータブルデータ処理装置やウェブブラウザのような適当な形式のワイヤレスユーザ装置を網羅することが意図されると理解されたい。
【００１３】
本発明の実施形態は、ＵＭＴＳ（ユニバーサル移動テレコミュニケーションシステム）及びＧＰＲＳ（汎用パケット無線サービス）、並びにパケットデータを伴う通信について説明する。しかしながら、本発明の実施形態は、パケットデータを取り扱う他の通信システムにも適用できることが明らかであろう。
【００１４】
ＵＭＴＳネットワークシステム２の要素について以下に詳細に説明する。移動ステーション又はユーザ装置１は、エアインターフェイスを経て各ベースステーション６と通信するように構成される。ベースステーションは、無線ネットワークコントローラＲＮＣ７により制御される。無線ネットワークコントローラＲＮＣ及びベースステーションは、無線ネットワークサブシステムＲＮＳ８又は無線アクセスネットワークＲＡＮと称されることもある。ＵＭＴＳネットワークには、通常、２つ以上のＲＮＣが設けられ、そして各無線ネットワークコントローラは、一般に、２つ以上のベースステーション６を制御するように構成されるが、図１には１つのベースステーションしか示されていないことを理解されたい。ＲＮＳの要素は、ＲＮＣ及びベースステーションのいずれか又は両方に含むことができる。これは、実施上の問題である。又、ＲＮＣ及びベースステーションの複合製品をもつことも考えられる。この場合に、ＲＮＳの要素は、この複合製品に含ませることができる。
【００１５】
無線ネットワークサブシステム８は、ＳＧＳＮ（サービングＧＰＲＳサポートノード）１４に接続されてもよい。ＳＧＳＮ１４は、移動ステーションの位置を追跡し、セキュリティ機能及びアクセス制御を実行する。ＳＧＳＮの機能は、例えば、３ＧＰＰ仕様書２３．０６０に詳細に規定されている。ＳＧＳＮ１４は、ＧＧＳＮ（ゲートウェイＧＰＲＳサポートノード）１６に接続される。ＧＧＳＮ１６は、外部のパケット交換ネットワーク３とのインターワーキングを与える。換言すれば、ＧＧＳＮ１６は、ＵＭＴＳネットワーク２と、ＩＰベースのデータネットワークのような外部データネットワーク３との間のゲートウェイとして働く。又、典型的なＧＧＳＮの機能も、前記３ＧＰＰ仕様書に規定されている。
【００１６】
図示されていないが、ネットワークシステム２は、従来のテレコミュニケーションネットワーク、例えば、ＧＳＭベースのセルラー公衆地上移動ネットワーク（ＰＬＭＮ）又は公衆交換電話ネットワーク（ＰＳＴＮ）に接続されてもよい。種々のネットワークが適当なインターフェイス及び／又はゲートウェイを経て互いに相互接続されてもよい。
【００１７】
以下の実施形態は、図１のＧＧＳＮ１６において実施することができ、より詳細には、ＧＧＳＮのデータ処理ユニット１１により実施することができる。しかしながら、この実施形態は、ネットワーク２の他のネットワークノード、例えば、ＳＧＳＮ１４及びＲＮＣ７に適用されてもよいことを理解されたい。又、この実施形態は、移動ステーション１に適用されてもよい。
【００１８】
本発明の実施形態は、前記問題、即ちＧＧＳＮ又は同様のノードによる断片化ＩＰパケットのパケット分類に向けられる。
【００１９】
多数の断片４２に断片化されたＩＰパケット４０を示す図２を参照して説明する。元のＩＰパケットは、ＩＰヘッダ５２を有する。全ての断片もＩＰヘッダ５０を有し、付加的なＩＰレベルヘッダを有してもよい。断片４２は、断片化に関する情報を含む。ＩＰｖ６の場合には、断片ヘッダ５０が、断片化から生じるＩＰパケットに追加される。断片ヘッダ５０は、例えば、全ての断片において同一の識別情報を含む（同じソースアドレス及び行先アドレスも有する）。ＩＰｖ４の場合には、この情報は、ＩＰｖ４ヘッダに含まれる。ＩＰｖ６断片ヘッダは、ＲＦＣ２４６０においてＩＥＴＦで指定される。ＩＰｖ４は、ＲＦＣ７９１においてＩＥＴＦで指定される。
【００２０】
ＩＰｖ６の場合には、送信者だけがＩＰｖ６パケットを断片化することが許される。断片化で生じる全てのＩＰｖ６パケットは、例えば、ＩＰｖ６パケットのソースアドレス及び行先アドレスを含むＩＰｖ６ヘッダと、おそらくはホップごとに処理されねばならないＩＰレベルヘッダ、即ち行先ノードによるだけではなく経路に沿った付加的なノードにより処理されねばならないＩＰレベルヘッダとを含む。更に、上述したように、全ての断片は、次のヘッダ、断片オフセット、Ｍフラグ（Ｍ＝１は、より多くの断片を意味し、Ｍ＝０は、最後の断片を意味する）及び識別といった情報を伴う断片ヘッダを含む。識別は、ソースアドレスと行先アドレスとの対に関連した全てのＩＰｖ６断片において同じである。同じソースアドレス、行先アドレス及び識別を断片ヘッダに伴うＩＰｖ６パケットは、同じＰＤＰコンテクストにおいて搬送されねばならない。
【００２１】
ＩＰｖ４の場合には、経路に沿った他のノードも、断片化を実行することが許される。断片化が実行される場合には、ＩＰｖ４ヘッダは、断片化に関する情報、例えば、ソースアドレス／行先アドレス対に関連した全ての断片に対して同じ識別を含む。同じソースアドレス、行先アドレス及び識別をもつＩＰｖ４パケットは、同じＰＤＰコンテクストにおいて搬送されねばならない。
【００２２】
通常、ＧＧＳＮ１６は、最初にパケット分類に必要な情報を含む断片４２’を受信する。パケット分類５４に必要な情報を含む断片は１つだけであることが考えられる。これは、例えば、パケット分類を搬送層情報、例えば、ＴＯＰ又はＵＤＰポート番号で実行しなければならない場合である。この場合、一次又は二次ＰＤＰコンテクストに関連したＴＦＴ又はパケット分類子の１つは、搬送層情報を含む。しかしながら、ＩＰネットワークでは、ＧＧＳＮが最初に他の断片を受信し、そして必要な情報を含む断片が後で到着することが考えられる。ＧＧＳＮが、全ての断片において得られない情報でパケットを分類すべき場合には、ＧＧＳＮは、必要な情報を伴う断片を受信するまで待機しなければならない。この断片が受信されると、ＧＧＳＮは、同じ行先アドレス、ソースアドレス及び識別情報を伴う全ての断片をどのＰＤＰコンテクストにおいてＵＥに向かって送信すべきかを知る。
【００２３】
ＧＧＳＮは、断片化について、好ましくはＩＰｖ６ヘッダ及び断片ヘッダから又はＩＰｖ４ヘッダからの情報をＰＤＰコンテクスト情報と一緒に記憶装置１５に記憶する。より詳細には、ＧＧＳＮは、ソースアドレス及び識別情報を記憶し、そして記憶された情報を使用して、正しいＰＤＰコンテクストに対して断片を分類する。最低限、ＧＧＳＮは、断片ヘッダからの識別情報を記憶する。行先アドレス又はその一部分は、ＧＧＳＮによりパケット分類におけるＰＤＰアドレスとしてチェックされることに注意されたい。必要な情報を含む断片４２’が最初に到着しない場合には、ＧＧＳＮは、この情報を含む断片を受信するまで断片をバッファしなければならない。
【００２４】
異常の場合、例えば、ＧＧＳＮのバッファがオーバーフローしたときには、ＧＧＳＮは、古い断片を最も適当なＰＤＰコンテクスト（例えば、ＴＦＴが存在する場合にそれを含まないＰＤＰコンテクスト、又はＱｏＳが最低のＰＤＰコンテクスト）において送信するか、或いは古い断片をドロップしてバッファスペースを新たな断片のために解放しなければならない。
【００２５】
本発明の他の実施形態では、ＧＧＳＮは、パケットの分類に必要な情報を含む断片の待機時間を制限してもよい。必要な断片を受信せずに時間限界が過ぎた場合には、ＧＧＳＮは、必要な断片を伴わない状態でＧＧＳＮが選択する最も適当なＰＤＰコンテクスト（例えば、ＴＦＴが存在する場合にそれを含まないＰＤＰコンテクスト又はＱｏＳが最低のＰＤＰコンテクスト）において、受信した断片を送信してもよい。
【００２６】
ＧＧＳＮは、どのＰＤＰコンテクストにおいて断片を送信すべきか判断できない場合には断片をドロップすることも考えられる。断片の１つがドロップされた場合には、ＧＧＳＮは、他の関連する断片を全てドロップしてもよい。いずれかの断片が欠落した場合には、ＵＥは、元のパケットを形成することができない。この場合、いずれかの断片がドロップされた場合にＧＧＳＮにより全ての断片をドロップすると、無線リソースをセーブすることができる。というのは、不必要な断片が無線経路を経てＵＥに送信されないからである。
【００２７】
ＧＧＳＮは、同じ又は異なる行先に意図された多数の異なる断片を同時に取り扱いできることを理解されたい。
【００２８】
本発明による方法を以下に説明する。ステップＳ１では、パケット断片が受信される。ステップＳ２では、そのパケット断片が、パケット分類に必要な情報を含むかどうか調べるためにチェックが行われる。もしそうであれば、次のステップは、ステップＳ３であり、ここでは、その断片からの情報がＰＤＰコンテクスト情報に関連して記憶される。このパケット断片は、ステップＳ４で、必要なＰＤＰコンテクストにおいて送信される。
【００２９】
パケット断片がパケット分類に必要な情報を含まない場合には、ステップＳ５において、同じソースアドレス、行先アドレス及び識別を有する異なるパケット断片で情報が既に受信されたかどうか調べるためのチェックが行われる。もしそうであれば、パケット断片がステップＳ６で必要なＰＤＰコンテクストにおいて送信される。もしそうでなければ、パケット断片がステップＳ７でバッファに記憶される。ステップＳ３では、同じソースアドレス、行先アドレス及び識別を有する断片がバッファに存在するか、又はパケット分類に必要な情報を伴うパケット断片を待機しているかどうか調べるためのチェックも行われる。このような断片が記憶されている場合には、それらも、必要なＰＤＰコンテクストにおいて送信される。
【００３０】
本発明の実施形態をパケット断片に関して説明したが、本発明の実施形態は、必要なＰＤＰコンテクストを識別する情報を全てが含むものではない関連パケットのような他のパケットエンティティにも使用できることが明らかであろう。
【００３１】
本発明の好ましい実施形態は、ＰＤＰアドレスに関して説明した。本発明の実施形態は、他の形式のアドレスにも使用できることが明らかであろう。
【００３２】
本発明の実施形態は、第三世代のＧＰＲＳ及び／又はＵＭＴＳに関連して説明したが、本発明の実施形態は、他の適当な規格にも適用できることが明らかであろう。又、論理的接続は、論理的関連性又はビットパイプと称されてもよい。
【００３３】
以上、本発明の実施形態について述べたが、特許請求の範囲に規定された本発明の範囲から逸脱せずに、上述した解決策に対して多数の種々の変更や修正がなされ得ることに注意されたい。
【図面の簡単な説明】
【００３４】
【図１】本発明の実施形態を使用できる通信ネットワークを示す図である。
【図２】断片パケットに分割されたパケットを示す図である。
【図３】フローチャートである。
【図１】
2005514863.tif 000003
【図２】
2005514863.tif 000004
【図３】
2005514863.tif 000005
【手続補正書】
【提出日】平成16年2月26日(2004.2.26)
【手続補正１】
【補正対象書類名】特許請求の範囲
【補正対象項目名】全文
【補正方法】変更
【補正の内容】
【特許請求の範囲】
【請求項１】
パケット断片を指向する方法において、
第１パケット断片を受信し、
前記第１パケット断片がパケットの一部分であることを決定し、
前記第１パケット断片が前記パケットの方向に関連した情報を含むかどうかチェックし、
前記断片の情報を記憶し、
前記第１パケット断片を前記情報に基づいて指向し、
第２パケット断片を受信し、
前記第２パケット断片が前記パケットの一部分であるかどうかチェックし、そして
前記第２パケット断片を前記記憶された情報に基づいて転送する、
という段階を備えた方法。
【請求項２】
前記第２パケット断片が前記第１パケット断片の前に受信されたときには、前記第１パケット断片が受信されるまで前記第２パケット断片を記憶する請求項１に記載の方法。
【請求項３】
前記方法は、複数のベアラの所要のベアラへパケット断片を指向するように構成される請求項１又は２に記載の方法。
【請求項４】
前記チェック段階は、前記パケット断片が前記所要のベアラに関連した情報を含むかどうかチェックすることを含む請求項３に記載の方法。
【請求項５】
前記情報は、ソースアドレス、行先アドレス、及び断片ヘッダにおける識別の少なくとも１つである請求項４に記載の方法。
【請求項６】
前記記憶段階は、ソースポート、行先ポート、及び断片ヘッダにおける識別の少なくとも１つを記憶することを含む請求項１ないし５のいずれかに記載の方法。
【請求項７】
前記パケット断片に含まれた断片化関連情報を記憶する段階を更に備えた請求項１に記載の方法。
【請求項８】
前記方向情報を含むパケット断片が受信された後に別のパケット断片を受信し、そして前記別のパケット断片を前記方向情報に基づいて指向する段階を更に備えた請求項１ないし７のいずれかに記載の方法。
【請求項９】
相互に関連したパケット断片の第１セットを指向する方法であって、該第１セットは、相互に関連したパケット断片の第２セットを含み、該第２セットのパケット断片は、前記パケット断片の方向に関連した情報を含み、前記パケット断片の第２セットは、少なくとも１つのパケット断片を含み、前記方法は、
前記パケット断片の少なくとも１つを受信し、
前記少なくとも１つのパケット断片が前記相互に関連したパケットの第１セットに属することを決定し、
前記少なくとも１つのパケット断片が前記パケットエンティティの第２セットに属さないことを決定し、そして
前記少なくとも１つのパケット断片の１つの少なくとも一部分を記憶する、
という段階を備えた方法。
【請求項１０】
少なくとも１つのパケット断片を記憶する段階を更に備えた請求項９に記載の方法。
【請求項１１】
少なくとも１つの更に別のパケット断片を受信し、
前記受信された少なくとも１つの更に別のパケット断片が前記パケット断片の第２セットに属することを決定し、そして
前記少なくとも１つの更に別のパケット断片に含まれた前記情報に基づいて前記パケット断片を指向する、
という段階を更に備えた請求項９又は１０に記載の方法。
【請求項１２】
前記少なくとも１つのパケット断片は、前記所要の方向が決定されるまで記憶される請求項９ないし１１のいずれかに記載の方法。
【請求項１３】
少なくとも１つのパケット断片が所定時間中記憶されそして前記所要の方向が決定されないときには、前記少なくとも１つのパケット断片が送信されるべき方向を選択し、そして前記少なくとも１つのパケット断片を前記選択された方向に送信する請求項９ないし１２のいずれかに記載の方法。
【請求項１４】
少なくとも１つのパケット断片が所定時間中記憶されそして前記所要の方向が決定されないときには、前記少なくとも１つのパケットを記憶装置から除去する請求項９ないし１３のいずれかに記載の方法。
【請求項１５】
前記少なくとも１つのパケット断片を記憶する記憶装置が所定量以上のデータを記憶している場合には、前記少なくとも１つのパケット断片が送信されるべき方向を選択し、そして前記少なくとも１つのパケットを前記選択された方向に送信する請求項９ないし１４のいずれかに記載の方法。
【請求項１６】
前記少なくとも１つのパケット断片を記憶する記憶装置が所定量以上のデータを記憶している場合には、前記少なくとも１つのパケットを前記記憶装置から除去する請求項９ないし１５のいずれかに記載の方法。
【請求項１７】
少なくとも１つのパケット断片のヘッダからの情報を記憶する請求項９ないし１６のいずれかに記載の方法。
【請求項１８】
前記記憶された情報は、ソースアドレス、行先アドレス及び識別情報のうちの少なくとも１つを含む請求項１７に記載の方法。
【請求項１９】
前記方向は、ＰＤＰコンテクスト及び／又は複数のベアラの１つ及び／又はベアラを含む請求項９ないし１８のいずれかに記載の方法。
【請求項２０】
前記方向情報は、前記行先アドレスを含む請求項９ないし１９のいずれかに記載の方法。
【請求項２１】
複数の関連パケット断片を指向するための装置であって、前記パケット断片の１つ又は幾つかだけが、前記パケット断片の方向に関連した情報を含み、前記装置は、
前記複数のパケット断片を受信する手段と、
前記情報を含む前記パケット断片の少なくとも２つから所要の方向アドレスを決定する手段と、
前記複数の関連パケット断片を前記所要の方向に指向する手段と、
を備えた装置。
【請求項２２】
前記装置は、パケット交換ネットワークにおけるノードとして使用できる請求項２１に記載の装置。
【請求項２３】
前記ネットワークは、ＧＰＲＳネットワークである請求項２２に記載の装置。
【請求項２４】
上記装置は、ＧＧＳＮである請求項２１ないし２６のいずれかに記載の装置。
【請求項２５】
１組のベアラの所要のベアラへパケットを指向するための方法であって、
（ａ）パケットを受信し、
（ｂ）前記パケットが断片化されたパケットであるかどうかチェックし、もしそうであれば、
（ｃ）前記パケットが、前記所要のベアラの選択に関連した情報を含むかどうかチェックし、もしそうであれば、そのパケットに含まれた断片化関連情報を記憶する、
という段階を備えた方法。
【請求項２６】
前記パケットを前記所要のベアラへ転送する段階を更に備えた請求項２５に記載の方法。
【請求項２７】
第２のパケットを受信し、
前記第２のパケットを、断片化関連情報に基づいて前記所要のベアラへ転送する、
という段階を更に備えた請求項２５又は２６に記載の方法。
【請求項２８】
１組のベアラの所要のベアラへパケットを指向するための方法であって、
（ａ）パケットを受信し、
（ｂ）前記パケットが断片化されたパケットであるかどうかチェックし、もしそうであれば、
（ｃ）前記パケットが、前記所要のベアラの選択に関連した情報を含むかどうかチェックし、もしそうでなければ、前記パケットに含まれた断片化関連情報を記憶し、そして前記パケットを記憶する、
という段階を備えた方法。
【請求項２９】
前記所要のベアラの選択に関連した情報を含む別のパケットを受信し、そして
前記別のパケット及び前記記憶されたパケットを前記所要のベアラへ転送する、
という段階を更に備えた請求項２８に記載の方法。
【請求項３０】
相互に関連したパケット断片の第１セットを指向する装置であって、該第１セットは、相互に関連したパケット断片の第２セットを含み、該第２セットのパケット断片は、前記パケット断片の方向に関連した情報を含み、前記パケット断片の第２セットは、少なくとも１つのパケット断片を含み、前記装置は、
前記パケット断片の少なくとも１つを受信する手段と、
前記少なくとも１つのパケット断片が前記相互に関連したパケットの第１セットに属することを決定する手段と、
前記少なくとも１つのパケット断片が前記パケット断片の第２セットに属さないことを決定する手段と、
前記少なくとも１つのパケット断片の１つの少なくとも一部分を記憶する手段と、
を備えた装置。
【国際調査報告】
2005514863.tif 000006
2005514863.tif 000007